(57)【要約】      （修正有）【課題】絨毯や床等のごみを粘着シートの粘着力によって付着、集塵し、集塵が終わるとめくり捨て、衛生的に粘着シートを切り離すことが出来る粘着シートを提供する。【解決手段】粘着シートの１周分の初めと終わり部分をシートの裁断方向に平行に補強し、さらに、初め部分に２等分にミシン目４を入れ、つまみ１，２を２箇所、一周終わりの補強部分に、つまみ３を１箇所設け、１周初め部分のつまみを引き上げることにより毛髪等ゴミを軽快に引き裂き、さらに、２箇所のつまみを使用することで、手を汚さずに使用済み粘着シートを廃棄処分できることを特徴とする粘着ローラー掃除機における、つまみ付きミシン目入り粘着シート。【選択図】図１
2011046910.tif 000002
【特許請求の範囲】
【請求項１】
粘着シートの１周分の初めと終わり部分にシート裁断方向と平行に補強部材を設け、さらに、つまみ片１とつまみ片２の中間にミシン目を入れ、つまみ片を２箇所、一周終わりの補強部材部分に、つまみ片を１箇所設け、１周初め部分のつまみ片を引き上げることにより毛髪等ゴミを軽快に引き裂き、さらに、残りの２箇所のつまみ片を使用することで、手を汚さずに使用済み粘着シートを廃棄処分できることを特徴とする、粘着ローラー掃除機におけるつまみ片付きミシン目入り粘着シート。
【発明の詳細な説明】
【技術分野】
【０００１】  本発明は、絨毯や床等のごみを粘着シートの粘着力によって付着、集塵し、集塵が終わるとその粘着シートをめくり捨てる、粘着シートに関するものである。
【背景技術】
【０００２】  従来、ゴミとしての毛髪等が拡散粘着している場合において、粘着シートを容易に切り取る方法として、ノコ歯状刃先を有し、この刃でシートを切り離し、下側の面にある舌状押し板にて次のシート面の引き出し口を折り返すしくみの粘着ローラーがあった（特許文献１参照）。
また、タコ糸風の少し強度のある、シャープなひも状の糸を、あらかじめ粘着シートを１周分出しておいた部分にセットし、粘着シートを巻き戻してから集塵し、粘着シートをカットする方法があった（特許文献２参照）。
【先行技術文献】
【０００３】
【特許文献１】  特開２０００−２８７９１１号公報
【特許文献２】  特開２００３−２２００１２号公報
【発明の概要】
【発明が解決しようとする課題】
【０００４】  そのため、次のような問題点があった。
（イ）どちらにも共通するのは、ノコ歯状刃先や強度のあるシャープなひも状の糸を使用    するため、手に怪我をするなど危険がある。
（ロ）また、粘着ローラー掃除機本体に機能を付加させ、粘着シートを切り取る方法であ    り、本体を製造するためのコストがかかる。
（ハ）本体に関しては、ノコ歯状刃先を持つ粘着ローラーは、新たに購入しなくてはいけ    ないので、既存の粘着ローラー掃除機を持っている消費者は費用がかかる。
（ニ）粘着シートを切り離すために、ゴミの付着した粘着部分に触れなくてはならず、使    用者が不快に感じる。
（ホ）ひも状の糸で粘着シートをカットする方法は、あらかじめ粘着シートを引き出して    から糸をセットするため、手間がかかる
本発明は、これらの問題点を解決するためになされたものである。
【課題を解決するための手段】
【０００５】  粘着シートの１周分の初めと終わり部分にシート裁断方向と平行に補強部材を設け、さらに、つまみ片１とつまみ片２の中間にミシン目を入れ、つまみ片を２箇所、一周終わりの補強部材部分に、つまみ片を１箇所設け、１周初め部分のつまみ片を引き上げることにより毛髪等ゴミを軽快に引き裂き、さらに、残りの２箇所のつまみ片を使用することで、手を汚さずに使用済み粘着シートを廃棄処分できることを特徴とする、粘着ローラー掃除機におけるつまみ片付きミシン目入り粘着シート。
【発明の効果】
【０００６】  粘着シートの大きさが共通であれば、既存の粘着ローラー掃除機に使用出来る。
粘着シートにつまみ片を設けることにより、ゴミの付着した粘着部分に触れなくて済むので、手が汚れないので快適に裁断できる。
粘着シートのシート裁断方向と平行に補強部材を設けることにより、シートの切り離しがスムーズに出来る。
これらの様子を、以下に説明する。
実施例１（図３）、粘着ローラー掃除機にて集塵した後、粘着シートのつまみ片うち、裁断しようとする一番手前のつまみ片１を持ち、ミシン目に沿って切り取るように、拡散粘着している毛髪等のゴミを一気に裁断し、シートをミシン目４の通りに快適に引き離す。
実施例２（図４）、次に、二番目手前のつまみ片２を持ち上げ、１周巻き終わりの部分まで粘着シートを引き上げる。
実施例３（図５）、１周巻き終わり部分の手前のつまみ片３を持ち、ミシン目５に沿って粘着シートをローラーから一気に引き離す。
実施例４（図６）、引き離した後、つまみ片２とつまみ片３を、粘着面が内側になるように合わせて、ゴミ箱等に処理をする。
【図面の簡単な説明】
【０００７】
【図１】  本発明の粘着ローラーの外観図である。
【図２】  本発明の粘着シートの１巻き分の展開図である。
【図３】  本発明の実施例１の説明図である。
【図４】  本発明の実施例２の説明図である。
【図５】  本発明の実施例３の説明図である。
【図６】  本発明の実施例４の説明図である。
【発明を実施するための形態】
【０００８】  以下、本発明の実施の形態について説明する。
本発明は、粘着シートに機能を付加させるものであり、大きさが共通であれば、既存の粘着ローラー掃除機にセット出来るものである。
図１は、粘着ローラー本体を示した図である。
図２において、１周分の初め部分と終わり部分に、ゴミとしての毛髪等を一気に裁断するために、樹脂ならばポリエチレン樹脂やアクリル樹脂等で補強し、テープならば、布やクラフト等でシートの裁断方向と平行に補強する。
補強部分は、１周の初め部分は、補強面の上に更に接着剤を塗布しない場合を考えた場合、粘着面積を大きく取ることをふまえ、巾約５ｍｍ〜１０ｍｍほどとする。
なお、１周の初め部分において、補強部分の上に更に接着剤を塗布する場合は、巾は、つまみの操作が最適な指の巾に合わせ約２０ｍｍほど取っても良い。
１周の初め部分の補強部分をシートの裁断方向と平行に２等分した箇所にミシン目を入れ、ミシン目を境にして２等分された端に接着剤を塗布しないつまみを２箇所設ける。
１周の終わり部分を、シートの裁断方向と平行に、巾約５約ｍｍ〜１０ｍｍほど、樹脂ならばポリエチレン樹脂やアクリル樹脂等で補強し、テープならば、布やグラスファイバー等で補強し、端につまみを設ける。
なお、１周の終わり部分において、補強部分の上に更に接着剤を塗布しても良い。
ただし、つまみ片部分には接着剤を塗布しない。
更に、つまみ片はつまみ片１とつまみ片２のみでも、快適な裁断は可能であるが、つまみ片３を設けることにより、粘着部分同士を合わせることになり、廃棄処分をする際、粘着シートがゴミ箱に粘着せず快適に廃棄できる。
本発明は以上のような構成である。
これを使用するときは、実施例１（図３）、粘着ローラー掃除機にて集塵した後、粘着シートのつまみ片うち、裁断しようとする一番手前のつまみ片１を持ち、ミシン目に沿って切り取るように、拡散粘着している毛髪等のゴミを一気に裁断し、シートをミシン目４の通りに快適に引き離す。
実施例２（図４）、次に、二番目手前のつまみ片２を持ち上げ、１周巻き終わりの部分まで粘着シートを引き上げる。
実施例３（図５）、１周巻き終わり部分の手前のつまみ片３を持ち、ミシン目５に沿って粘着シートをローラーから一気に引き離す。
実施例４（図６）、引き離した後、つまみ片２とつまみ片３を、粘着面が内側になるように合わせて、ゴミ箱等に処理をする。
【符号の説明】
【０００９】１  つまみ片
２  つまみ片
３  つまみ片
４  ミシン目
５  ミシン目
【図１】
2011046910.tif 000003
【図２】
2011046910.tif 000004
【図３】
2011046910.tif 000005
【図４】
2011046910.tif 000006
【図５】
2011046910.tif 000007
【図６】
2011046910.tif 000008